(57)【要約】      （修正有）【課題】天体、特に月の１日の視覚的表示を、天体の位相の表示と共に腕時計に組み込むことができる天文腕時計を提供する。【解決手段】時計ムーブメントの出力１０の一定周波数歯車駆動装置のための歯車列２、少なくとも１つの天体の１日及び位相を表示するための機構１を備え、機構１は、第１の可動構成部材５で表される第１の天体の１日及び位相の３次元表示のための手段３を含み、手段３は歯車列２で駆動し、歯車列２は位相用歯車列１０及び１日用歯車列２０を含み、これらはそれぞれ同一の時計ムーブメントの出力で噛み合う。この位相用歯車列１０及び／又は１日用歯車列２０は、その入力と出力との間に少なくとも１つの連結解除手段を含む。【選択図】図１
2014092549.tif 000002
【特許請求の範囲】
【請求項１】
時計ムーブメント（１００）の出力（１０）の一定周波数歯車駆動装置のための歯車列（２）を備える、少なくとも第１の天体の１日及び位相を表示するための機構（１）であって、
前記機構（１）は、第１の可動構成部材（５）で表される前記第１の天体の１日及び位相の３次元表示のための手段（３）を含み、
前記手段（３）は前記歯車列（２）で駆動され、
前記歯車列（２）は位相用歯車列（１０）及び１日用歯車列（２０）を含み、
前記位相用歯車列（１０）及び前記１日用歯車列（２０）はそれぞれ同一の前記ムーブメント（１００）からの出力と噛み合い、
前記位相用歯車列（１０）及び／又は前記１日用歯車列（２０）は、その入力と出力との間に少なくとも１つの連結解除手段を含むことを特徴とする、機構（１）。
【請求項２】
前記位相用歯車列（１０）及び前記１日用歯車列（２０）はそれぞれ、その入力と出力との間に少なくとも１つの連結解除手段を含むことを特徴とする、請求項１に記載の機構（１）。
【請求項３】
前記１日用歯車列（２０）の前記連結解除手段は、前記ムーブメント（１００）からの入力歯車列に動力学的に接続された１日用車（２３）と、前記位相用歯車列（１０）によって駆動され、前記第１の可動構成部材（５）を回転させるように配設された、雄型鋸歯（２４）を有するホイールとの間に配設されるジャンパばね（２５）を含むことを特徴とする、請求項１に記載の機構（１）。
【請求項４】
前記位相用歯車列（１０）の前記連結解除手段は、前記ムーブメント（１００）からの前記入力歯車列に動力学的に接続された中間ホイール（１３）によって駆動されるように配設された渦巻き状部材（１５）の周縁部（１５Ａ）に設けられたカム（１６）と、レバー（１９）の第１のアーム（１９Ａ）とを備え、
前記第１のアーム（１９Ａ）は、弾性復元手段によって前記カム（１６）に向かって押され、
前記カム（１６）のスロープ（１６Ａ）上での前記第１のアーム（１９Ａ）のジャンプによって、前記レバー（１９）の回転及び第２のアーム（１９Ｂ）の運動が起こり、
前記第２のアーム（１９Ｂ）は前記レバー（１９）に含まれており、前記１日用歯車列（２０）と協働して前記ジャンプ時に前記歯車列を１段階前進させるように設けられたクリック（１９Ｃ）を有する
ことを特徴とする、請求項１に記載の機構（１）。
【請求項５】
前記渦巻き状部材（１５）は、雌型鋸歯を有する鋸歯部（１４）を備える前記中間ホイール（１３）によって常に駆動されず、前記中間ホイール（１３）と一体となって前記渦巻き状部材（１５）を回動させるために設けられたクリック（１７）を備え、
前記レバー（１９）の前記第１のアーム（１９Ａ）の、前記カム（１６）の前記スロープ（１６Ａ）上での前記ジャンプにより、前記クリック（１７）は前記雌型鋸歯部（１４）から解放され、その後次の歯と再び係合する
ことを特徴とする、請求項４に記載の機構（１）。
【請求項６】
前記渦巻き状部材（１５）は、前記中間ホイール（１３）と一体として回転することを特徴とする、請求項４に記載の機構（１）。
【請求項７】
前記３次元表示手段（３）は、前記歯車列（２）によって直接的又は間接的に回転駆動する第１の位相用アーバ（４）を含み、
前記第１の位相用アーバ（４）は、前記第１の可動構成部材（５）を支持し、前記第１の可動構成部材（５）は前記第１の天体を模したものであり、前記第１の天体の１か月の長さを周期として１回転し、
また、前記３次元表示手段（３）は、前記歯車列（２）によって直接的又は間接的に回転駆動する第１の１日用アーバ（６）を含み、
前記第１の可動構成部材（５）は、前記第１の天体の１日の長さを周期として、前記第１の１日用アーバ（６）の周りで軌道上を１回転する
ことを特徴とする、請求項１に記載の機構（１）。
【請求項８】
前記第１の１日用アーバ（６）は、前記歯車列（２）の一部によって直接的又は間接的に回転駆動し、
前記回転駆動は、前記歯車列（２）の第１の部分（２１）によって直接的又は間接的に回転駆動する前記第１の位相用アーバ（４）と同期している
ことを特徴とする、請求項７に記載の機構（１）。
【請求項９】
前記第１の位相用アーバ（４）は、前記第１の１日用アーバ（６）、又は前記第１の１日用アーバ（６）が駆動する位相用可動構成部材（７）に支持されていることを特徴とする、請求項７に記載の機構（１）。
【請求項１０】
前記第１の可動構成部材（５）の軌跡は部分的に、スクリーン（８）の後側にあり、
前記スクリーン（８）は、前記第１の１日用アーバ（６）の軸（Ｄ６）上に水平線（９）を画定する
ことを特徴とする、請求項７に記載の機構（１）。
【請求項１１】
前記第１の１日用アーバ（６）は、中心軸（Ｄ０）の周りに円形又は楕円形の軌跡を描く１日用可動構成部材（４１）上に設置されることを特徴とする、請求項１に記載の機構（１）。
【請求項１２】
前記１日用可動構成部材（４１）は、第２の天体を模した少なくとも１つの第２の可動構成部材（５０）を備え、
前記第２の可動構成部材（５０）の前記角度位置は、手動調整手段（４５）又は前記ムーブメント（１００）のＧＭＴタイムゾーン調整歯車列（４６）によって調整でき、
前記第２の可動構成部材（５０）は、透明な半球を有する第３の球体（５１）で囲まれており、
前記第３の球体（５１）は、前記第２の天体の１日の長さを周期として１回転し、
一方で、前記歯車列（２）で直接的又は間接的に回転させられる前記１日用可動構成部材（４１）は、前記第２の天体の１日の長さの約数若しくは倍数、又は前記第２の天体の１年の長さを周期として偏心回転する
ことを特徴とする、請求項１１に記載の機構（１）。
【請求項１３】
前記機構（１）は、月である前記第１の天体の１日及び位相を表示することを特徴とする、請求項１に記載の機構（１）。
【請求項１４】
前記第２の天体は地球であること、
前記機構（１）は、地球のある経度の地点の昼夜遷移、及びその経度の前記地点の局所的時刻又は太陽の周りの軌道上における地球の年間位置を表示すること
を特徴とする、請求項１２に記載の機構（１）。
【請求項１５】
前記第１の位相用アーバ（４）は、透明部材又はサファイア製であることを特徴とする、請求項１に記載の機構（１）。
【請求項１６】
請求項１に記載の少なくとも１つの表示機構（１）を駆動するための駆動手段を備える、ムーブメント（１００）。
【請求項１７】
天体を表す少なくとも１つの可動構成部材（５；５０）及び／又は前記可動構成部材（５；５０）を覆う半分が透明な中空球体（５１）を駆動するための、昼夜駆動機構（４７）及び／又はＧＭＴ機構（４６）を含むことを特徴とする、請求項１６に記載のムーブメント（１００）。
【請求項１８】
請求項１６に記載の少なくとも１つのムーブメント（１００）及び／又は請求項１に記載の少なくとも１つの機構（１）を備える、天文腕時計。
【発明の詳細な説明】
【技術分野】
【０００１】
本発明は、時計ムーブメントの出力の一定周波数歯車駆動装置のための歯車列を備える、少なくとも１つの天体の１日及び位相を表示するための機構に関し、上記機構は、可動構成部材で表される上記第１の天体の１日及び位相の３次元表示のための手段を含み、上記手段は上記歯車列で駆動し、この歯車列は位相用歯車列及び１日用歯車列を含み、これらはそれぞれ同一の上記ムーブメントの出力によって噛み合う。
【０００２】
本発明はまた、少なくとも１つのこのような表示機構を駆動するための駆動手段を含むムーブメントにも関する。
【０００３】
本発明はまた、少なくとも１つのこのタイプのムーブメント及び／又は少なくとも１つのこのタイプの機構を含む、天文腕時計にも関する。
【０００４】
本発明は機械式時計学の分野に関し、より詳細には、特定の天体の状態を表示するための複雑な機構に関する。
【背景技術】
【０００５】
天文腕時計は、腕時計の中でもその複雑さによってユーザから評価されている。特定の天体の回転、特に月の回転の表示について、その精度はしばしば近似的であり、これは、ムーブメント内で使用できる容積が小さく、この容積は一般に、月の１日及び１か月の長さの正確な推定を保証するために必要となる多数の歯車を格納することができないためである。
【０００６】
更に、天体の位相の視認は場合によっては非実際的である。殆どの時計のディスプレイは天体の１日の表示を行わなくなっている。
【０００７】
Ｒｉｃｈａｒｄによる特許文献１は、腕時計の駆動機構によって回転が維持される第１の円形プレートを有するムーンディスプレイを開示しており、球体は月を表し、この球体を、この円形支持体を用いて、腕時計の文字盤に配設された開口に沿って移動させることができる。駆動機構は、円形支持体を、月の出と月の入りの間の、空における月の見かけ上の運動の速度に合わせた速度で、開口に対して回転駆動する手段を含む。この機構は第２のプレートを第１のプレートと同じ速度で回転駆動し、第２のプレートは、腕時計の文字盤と平行な軸の周りで球体を回転させるピニオンを駆動する。
【０００８】
ＧＬＡＳＥＲによる非特許文献１は、回転球体又は回転ディスクを用いた月の位相の表示を開示している。差動要素は適切な速度で、そのアーバ上で回転する球体を駆動し、またこの軸を文字盤に対して駆動する。
【０００９】
ＤＩＤＩＫによる特許文献２は、球体で表される太陽系の惑星を駆動する複雑な歯車列、傾斜した軸に設置された地球の周りを回転する月を有する、惑星表示腕時計を開示し、ここで傾斜した地球の軸の駆動、軸の周りでの地球の駆動、及び地球の周りでの月の駆動は、ムーブメントの軸である筒かなと噛み合う同数のプーリによって実施される。
【００１０】
ＧＨＩＲＩＭＯＬＤＩによる特許文献３は、立体で表されるプラネタリウム時計機構を開示している。
【００１１】
Ｂｕｒｋｅによる特許文献４は、いくつかの天体が他の天体に対してモータ駆動される天文置時計を開示している。
【先行技術文献】
【特許文献】
【００１２】
【特許文献１】国際公開特許第９１／１１７５６号
【特許文献２】米国特許第３７６６７２７号
【特許文献３】フランス公開特許第１２６７９０５２号
【特許文献４】フランス公開特許第３４８０４０号
【非特許文献】
【００１３】
【非特許文献１】「Ａｓｔｒｏｎｏｍｉｓｃｈｅ  Ｉｎｄｉｋａｔｉｏｎｅｎ  ｂｅｉ  Ｕｈｒｅｎ」、「Ｊａｈｒｂｕｃｈ  ｄｅｒ  ｄｅｕｔｓｃｈｅｎ  Ｇｅｓｅｌｌｓｃｈａｆｔ  ｆｕｅｒ  Ｃｈｒｏｎｏｍｅｔｒｉｅ」第４０巻、１９８９年１月１日発行、１３９〜１６１ページ、ＸＰ０００１０２６２０、ＩＳＳＮ０３７３-７６１６
【発明の概要】
【発明が解決しようとする課題】
【００１４】
本発明は、天体、特に月の１日の視覚的表示を、上記天体の位相の表示と共に腕時計に組み込むことを提案するものである。
【００１５】
本発明の目的は、星の周期の観察における高い精度と、ユーザにとって魅力的である３次元表示による極めて良好な視認性との両方を保証することである。
【課題を解決するための手段】
【００１６】
従って本発明は、時計ムーブメントの出力の一定周波数歯車駆動装置のための歯車列を備える、少なくとも第１の天体の１日及び位相を表示するための機構に関し、上記機構は、第１の可動構成部材で表される上記第１の天体の１日及び位相の３次元表示のための手段を含み、上記手段は上記歯車列で駆動し、この歯車列は位相用歯車列及び１日用歯車列を含み、これらはそれぞれ同一の上記ムーブメントの出力によって噛み合い、上記位相用歯車列及び／又は１日用歯車列は、その入力と出力との間に少なくとも１つの連結解除手段を含むことを特徴とする。
【００１７】
本発明の別の特徴によると、上記位相用歯車列及び１日用歯車列はそれぞれ、その入力と出力との間に少なくとも１つの連結解除手段を含む。
【００１８】
本発明の特徴によると、上記１日用歯車列の連結解除手段は、上記ムーブメントからの入力歯車列に動力学的に接続された１日用車と、上記位相用歯車列によって駆動し、上記第１の可動構成部材を回動させるように配設された、雄型鋸歯を有するホイールとの間に配設される、ジャンパばねを含む。
【００１９】
本発明の特徴によると、上記位相用歯車列の連結解除手段は、上記ムーブメントからの入力歯車列に動力学的に接続された中間ホイールによって駆動されるように配設された渦巻き状部材の周縁部に配置されたカムと、レバーの第１のアームとの間の協働により形成され、上記第１のアームは弾性復元手段によって上記カムに向かって押し、上記カムのスロープ上でのこのアームのジャンプによって、上記レバーの回転及び第２のアームの運動が起こり、この第２のアームはレバーに含まれており、上記１日用歯車列と協働して上記ジャンプ時に上記歯車列を１段階前進させるように設けられされたクリックを有する。
【００２０】
本発明の特徴によると、上記渦巻き状部材は、雌型鋸歯を有する歯部を備える上記中間ホイールによって常に駆動されるわけではなく、上記渦巻き状部材は、上記中間ホイールと一体として渦巻き状部材を回動させるために配設されたクリックを備え、上記レバーの上記第１のアームの、上記カムのスロープ上でのジャンプにより、上記クリックは上記雌型鋸歯部から解放され、その後次の歯と再び噛合する。
【００２１】
本発明の代替的な特徴によると、上記渦巻き状部材は上記中間ホイールと一体となって回動する。
【００２２】
本発明はまた、少なくとも１つのこのような表示機構を駆動するための駆動手段を含むムーブメントにも関する。
【００２３】
本発明の特徴によると、天体を表す少なくとも１つの可動構成部材、及び／又は上記可動構成部材を覆う半分が透明の中空球体を駆動するための上記ムーブメントは１日駆動機構及び／又はＧＭＴ機構を含む。
【００２４】
本発明はまた、少なくとも１つのこのタイプのムーブメント及び／又は少なくとも１つのこのタイプの機構を含む、天文腕時計にも関する。
【００２５】
本発明の他の特徴及び利点は、添付した図面を参照して以下の詳細な説明を読むことにより明らかになるであろう。
【図面の簡単な説明】
【００２６】
【図１】図１は、本発明による天体の１日及び位相表示機構の第１の変形例の概略図であり、この機構のみを示す斜視図である。
【図２】図２は、本発明による天体の１日及び位相表示機構の第１の変形例の概略図であり、この機構のみを示す前面図である。
【図３】図３は、本発明による天体の１日及び位相表示機構の第１の変形例の概略図であり、この機構のみを示す底面図である。
【図４】図４は、本発明による天体の１日及び位相表示機構の第１の変形例の概略図であり、これを右から見た右側面図である。
【図５】図５は、本発明による天体の１日及び位相表示機構の第１の変形例の概略図であり、これを左から見た左側面図である。
【図６】図６は、本発明による天体の１日及び位相表示機構の第１の変形例の概略図であり、スクリーンの後ろにあるこの機構の、ユーザから見える位置における前面図である。
【図７】図７は、本発明の第２の変形例を図６のスクリーンと共に示す、図１と同様の概略斜視図である。
【図８】図８は、本発明による３次元月表示を含む天文腕時計の部分概略前面図である。
【図９】図９は、図８の腕時計を右から見た図である。
【図１０】図１０は、共に平面上で可動である地球及び月を同時に表示することができる、本発明の変形例の前面図である。
【図１１】図１１は、透明の半球及び暗色の半球を含む中空球体で覆われた球体の形状である天体の表示の特定の変形例の断面図であり、可能な実施例の１つを示す概略断面図である。
【図１２】図１２は、透明の半球及び暗色の半球を含む中空球体で覆われた球体の形状である天体の表示の特定の変形例の断面図であり、可能な実施例の１つを示す概略断面図である。
【図１３】図１３は、透明の半球及び暗色の半球を含む中空球体で覆われた球体の形状である天体の表示の特定の変形例の断面図であり、可能な実施例の１つを示す概略断面図である。
【発明を実施するための形態】
【００２７】
本発明は天文時計、特に天文腕時計に関し、より詳細には、地球、月、又はその他の天体である少なくとも第１の天体の状態を表示するための表示機構に関する。
【００２８】
より詳細には、本発明は天体の１日及び位相の３次元表示に関する。天体の「位相」は、太陽を除く太陽に照らされる天体を地球から見た場合の連続的な配向である。太陽系の様々な惑星及びそれらの衛星を共にグループ化する「プラネタリウム」タイプの時計又は天文置時計の場合、これら様々な惑星及び衛星の位相は、地球からではなく、地球から離れた太陽系内の地点から見たものである。本説明では概して、用語「天体」は太陽を除く惑星及び衛星を指すものとする。
【００２９】
本発明は、時計ムーブメント１００（図８参照）の出力の一定周波数歯車駆動装置のための歯車列２を備える。少なくとも第１の天体の１日及び位相を表示する機構１に関する。
【００３０】
ここでは天体の「１日」とは、天体が回転して、地球上の定位置の観察者に対して同一の視認位置に戻るまでの期間を意味する。
【００３１】
天体の「１か月」とは、会合周期、即ち天体と太陽の２つの連続する会合位置を隔てる時間、つまり上記天体と太陽が地球上の定位置の観察者に対して同一の天測経度となる２つの連続する瞬間を隔てる時間の平均値を意味する。
【００３２】
地球に関しては、１日及び１か月は通常理解されている通りの意味であり：２４時間日は、（太陽の恒星日は約２３時間５６分であり、真太陽日と恒星日との差は３分３６秒〜４分２６秒で変化するという知見に鑑みて）１９５５年の国際会議で定義された平均太陽日である。
【００３３】
慣例的に、第１の天体の表示に関する機構の構成要素を「第１」、第２の天体に関する構成要素を「第２」のように呼ぶ。
【００３４】
本発明によると、この表示機構１は第１の可動構成部材５で表される第１の天体の１日及び位相の３次元表示のための手段３を含み、これは歯車列２で駆動する。
【００３５】
図示した好ましい実施形態では、この３次元表示手段３は第１の位相用アーバ４を含み、これは歯車列２によって直接的又は間接的に回転駆動する。
【００３６】
この第１の位相用アーバ４は、第１の可動構成部材５、具体的には第１の球体５を支持し、この第１の球体５は第１の天体を模したものであり、第１の天体の１か月の長さを周期として１回転する。
【００３７】
これ以降「球体」とは、天体５又は５０を表す可動構成部材を意味し、これは可動構成部材の実際の形状によらない。
【００３８】
機構１は第１の１日用アーバ６を含み、これは歯車列２によって直接的又は間接的に回転駆動する。第１の可動構成部材５即ち球体５は、第１の天体の１日の長さを周期として、この第１の１日用アーバ６の周りで軌道上を１回転する。
【００３９】
有利には、歯車列２は位相用歯車列１０及び１日用歯車列２０を含み、これらはそれぞれ同一のムーブメント１００の出力、例えば筒かな又は筒車と噛み合う。位相用歯車列１０及び１日用歯車列２０は、同一のムーブメントの異なる出力で駆動してもよく、又は一方が他方によって駆動してもよく、若しくは互いに他方を駆動してもよい。
【００４０】
図１〜６は機構１の第１の変形例を示し、ここで第１の１日用アーバ６は、ムーブメント１００の出力から１日用歯車列２０によって直接的又は間接的に回転駆動する。軸Ｄ４の周りで回転する第１の位相用アーバ４は、ムーブメント１００の出力から位相用歯車列１０によって直接的又は間接的に回転駆動する。
【００４１】
有利には、位相用歯車列１０及び／又は１日用歯車列２０は、その入力と出力との間に少なくとも１つの連結解除手段を含む。好ましくは、位相用歯車列１０及び１日用歯車列２０はそれぞれ、その入力と出力との間に少なくとも１つの連結解除手段を含む。
【００４２】
特定の好ましい実施形態では、第１の位相用アーバ４は、第１の１日用アーバ６又は上記第１の１日用アーバ６が駆動する位相用可動構成部材７に支持されている。
【００４３】
１日用歯車列２０は入力ホイール２１を含み、これはムーブメントの筒車と噛み合うか、又はこれを２４時間に１回転させる中間ホイールと噛み合い、平均太陽日の長さに対応する。必要であれば、入力ホイール２１は中間ホイール２２と噛み合い、これは、所望の歯車の減速に応じて、第１の天体の１日用ホイール２３と係合するか、又は入力ホイール２１は上記第１の天体の１日用ホイール２３と直接噛み合い、上記１日用ホイール２３は第１の天体の１日の間に１回転する。第１の天体の１日用ホイール２３は、軸Ｄ６の周りで回転するように、雄型鋸歯２４を有するホイールと同軸に設置されている。前記ホイール２３、２４はジャンパばね２５で互いに接続され、鋸歯部２４への動作によってこの機構の連結を解除することができ、これらの相対的な角度位置を修正することができる。従って、１日用歯車列２０の連結解除手段は、ムーブメント１００からの入力歯車列に動力学的に接続された１日用ホイール２３と、位相用歯車列１０によって駆動されるように配設され、第１の可動構成部材５を回転させる雄型鋸歯２４を有するホイールとの間に配設されるジャンパばね２５を含む。
【００４４】
鋸歯２４を有するホイールは第１の１日用アーバ６を備え、これは冠歯車２６を含む。
【００４５】
この冠歯車２６は、第１の位相用アーバ４と一体のピニオン２７と噛み合う。
【００４６】
位相用歯車列１０は入力ピニオン１１を含み、これはムーブメントの筒かなと噛み合うか、又はこれを１時間に１回転させる中間ホイールと噛み合う。必要であれば、入力ピニオン１１は図７に示すように中間ホイール１２と噛み合うか、所望の歯車の減速に対応させて、中間ホイール１３と噛合して、所定の期間に１回転するか、又は図１に示すように、上記中間ホイール１３と直接噛み合う。
【００４７】
この中間ホイール１３は、一連の内側鋸歯１４を備えている。
【００４８】
渦巻き状部材１５は、中間ホイール１３と同軸で軸Ｄ１の周りで回転し、その周縁部１５Ａはカム１６を形成し、このカム１６は、くちばし部１６Ｂの範囲を定めるスロープ１６Ａを有し、またピボット１７Ａ上で回動し内側鋸歯１４と協働する単一の歯を有するクリック１７を有する。
【００４９】
具体的にはルビーである滑動子１８は、渦巻き状部材１５の周縁部１５Ａに接触し、レバー１９に支持され、このレバー１９はムーブメント１００の地板に対して軸Ｄ９の周りで回動可能に設けられ、滑動子１８を支持するレバー１９の第１のアーム１９Ａは、ばね（図示せず）によって渦巻き状部材１５の方向に押されている。
【００５０】
中間ホイール１３が１回転する度に、滑動子１８はくちばし部１６Ｂ及びスロープ１６Ａにわたって渦巻き状部材１５の最高点から最低点へと通過して、クリック１７を解放し、続いてこのクリック１７の先端が雌型鋸歯部１４の次の歯に係止される。
【００５１】
従って、位相用歯車列１０の連結解除手段は、ムーブメント１００からの入力歯車列に動力学的に接続された中間ホイール１３によって駆動されるよう配設された渦巻き状部材１５の周縁部１５Ａに設けられたカム１６と、レバー１９の第１のアーム１９Ａとを備え、上記第１のアーム１９Ａは弾性復元手段によって上記カム１６に向かって押し、カムのスロープ１６Ａ上での上記第１のアーム１９Ａのジャンプによって、レバー１９の回転及び第２のアーム１９Ｂの運動が起こり、この第２のアーム１９Ｂはレバー１９に含まれており、１日用歯車列２０の鋸歯ホイール２４と協働して上記ジャンプ時に上記歯車列を１段階前進させるよう配設されたクリック１９Ｃを有する。
【００５２】
この第１の変形例では、渦巻き状部材１５は、雌型鋸歯部１４を備える中間ホイール１３によって常に駆動されるわけではなく、渦巻き状部材１５は、中間ホイール１３と一体として渦巻き状部材１５を回転させるクリック１７を備え、レバー１９の第１のアーム１９Ａの、カム１６のスロープ１６Ａ上でのジャンプにより、クリック１７は雌型鋸歯部１４から解放され、その後次の歯と所定の位置で再び係合する。
【００５３】
後方への運動を伴うこの連結解除により、位相用歯車列を連結解除することができ、位相用歯車列の連結を解除することによって生まれる期間を適宜適合させることができる。
【００５４】
鋸歯部１４の間隔は、鋸歯部の歯の数に応じた特定の基本所要時間に対応する。従って、次の回転の間に起こるジャンプまでの時間の長さは、中間ホイール１３の周期とこの基本所要時間との差に等しい。
【００５５】
上記ジャンプの時、第１のアーム１９Ａが落ちることによりレバー１９が回動し、レバー１９の第２のアーム１９Ｂはクリック１９Ｃを備えており、これが１日用歯車列２０の鋸歯ホイール２４と協働する。
【００５６】
以下の説明は、図１〜６に示すこの第１の変形例の第１の好ましい応用形態、より詳細には月の１日及び位相の表示に関する。
【００５７】
ムーブメント１００は、入力ホイール２１及び入力ピニオン１１を直接的に又は間接的に、特に筒かなを介して駆動し、これら入力ホイール２１及び入力ピニオン１１は図示した場合では同軸であるが、同様に異なる配置を有することもでき、空間利用という観点からは図示した配置が最も好ましい。
【００５８】
入力ホイール２１は５７個の歯を有し、２４時間に１回転する。入力ピニオン１１は１２個の歯を有する。
【００５９】
月の１か月を決定するために、１日用歯車列２０で形成される歯車列の第１の部分は２つのホイールを有する。
【００６０】
入力ホイール２１は中間ホイール２２と噛み合い、これもまた５７個の歯を有し、２４時間に１回転する。
【００６１】
中間ホイール２２は、５９個の歯を有する月の１日用ホイール２３と噛み合い、従ってこれは２４時間５０分３１．５８秒で１回転する。
【００６２】
月の位相を決定するために、位相用歯車列１０で形成される歯車列の第２の部分は、極めて限定された数の構成部材から形成される。
【００６３】
歯車列の入力において、１２個の歯を持つ入力ピニオン１１は６時間ホイールと呼ばれる中間ホイール１３と噛み合い、６時間ホイール１３は７２個の歯を有し、６時間に１回転する。
【００６４】
この６時間ホイール１３は、６４個の歯を有する内側鋸歯部１４を有する。
【００６５】
渦巻き状部材１５は６時間ホイール１３と同軸で回転し、スロープ１６Ａを含むカム１６、及び内側鋸歯部１４と協働する単一の歯を有するクリック１７を備える。
【００６６】
具体的にはルビーである滑動子１８は、渦巻き状部材１５の周縁部１５Ａに接触し、レバー１９に支持され、このレバー１９はムーブメントの地板に対して軸Ｄ９の周りで回動可能に設置され、滑動子１８を支持するレバー１９の第１のアーム１９Ａは、ばね（図示せず）によって渦巻き状部材１５の方向に押される。
【００６７】
中間ホイール１３が１回転する度に、滑動子１８はスロープ１６Ａにわたって渦巻き状部材１６の最高点から最低点へと通過して、クリック１７を解放し、続いてこのクリック１７の先端が雌型鋸歯部１４の次の歯に係止される。
【００６８】
鋸歯部１４の鋸歯の間隔０．２００００ｍｍは、基本所要時間５分３７．５秒に対応する。従って、次の回転の間に起こるジャンプまでの時間の長さは、６時間からこの基本所要時間を引いた時間、即ち５時間５４分２２．５秒であり、つまり２１２６２．５秒である。
【００６９】
鋸歯の間隔を０．１９９９９９９ｍｍとすると、基本所要時間は５分３７．９８秒となる。従って、次の回転の間に起こるジャンプまでの時間の長さは、６時間からこの基本所要時間を引いた時間、即ち５時間５４分２２．０秒であり、つまり２１２６２．０秒である。
【００７０】
前記ジャンプの時、第１のアーム１９Ａが落ちることによりレバー１９が回動し、レバー１９の第２のアーム１９Ｂはクリック１９Ｃを備え、１４０個の歯を有する鋸歯ホイール２４と協働する。
【００７１】
この鋸歯ホイール２４はジャンパばね２５を介して、１２個の歯を有する冠歯車２６を備える１日用アーバ６の軸Ｄ６の周りで一体となって回転する。この冠歯車は、位相用アーバ４と一体である、１４個の歯を有するピニオン２７と噛み合い、これは軸Ｄ６と垂直な軸Ｄ４上で回転する。その結果、鋸歯ホイール２４の歯１個分の運動は、位相用アーバ４上での３６０°／１４０×１４／１２＝３°の回転に変換される。
【００７２】
月の１か月に対応するアーバ４の１回転は、カム１６上での２回のジャンプの間の時間の長さの３６０／３＝１２０倍：
１２０×２１２６２．０＝２５５１４４０秒、即ち地球の２９．５３０５８３３日
で完了する。
【００７３】
精度は当然、鋸歯部１４の鋸歯の精度に左右される。
【００７４】
この値は月の１か月の極めて良好な近似値である。実際、月の１か月の長さは、１年のうちの１か月毎、及び１年毎に大きく変動し、その変化量は、連続する２か月に関して１か月あたり１時間又は２時間から１か月あたり最大６時間まで、大きいばらつきがある。通常の及び任意の１朔望月の値２９．５３０５８９日は平均値であり、約１％の極めて大きな幅の不確実性によって損なわれる。従って、本発明が確立する値は極めて優れたものである。
【００７５】
好ましくは、天体の運行は神秘的であり、従って第１の位相用アーバ４をサファイア又は同様の特徴を有する材料で作製する。１ｍｍの直径を有するこのタイプのサファイア製アーバは、チタン又はこれ以下の密度の合金で作製された、天体を表す直径５ｍｍの球体５と組み合わされ、５０００ｇの加速に容易に耐えることができる。
【００７６】
本応用例では、ここでは月である天体を表す球体５は、その２つの半球上に異なる表示５Ａ、５Ｂを備える。
【００７７】
図６に示すように、第１の１日用アーバ６はその軸Ｄ６の周りで回転し、それに伴って、天体を表す球体５を支持するアーバ４を回転させる。したがってこのアーバ４は軸Ｄ６の周りでの回転運動を起こし、その間、天体を表す球体５は軸Ｄ４の周りで回転する。球体５の軌跡は部分的に、曇りガラス等で作製された暗色スクリーン８の後側にあり、このスクリーン８は、第１の１日用アーバ６の軸Ｄ６上に水平線９を画定する。スクリーン８の陰の部分の後側を第１の可動構成部材５が通過する状態は、天体の位置が地球の後側となる状態を模しており、上記の瞬間には第１の可動構成部材５はユーザから見えないものの、ユーザは天体の位相の状態を見ることができる。これが、スクリーン８を暗色とし、不透明にはしていない理由である。
【００７８】
図７は本発明の第２の変形例を示し、これは第１の変形例と同一の１日用歯車列２０を含む。位相用歯車列１０は簡略化され、雌型鋸歯部１４は省略されている。位相用歯車列１０の連結解除手段は第１の変形例と同一であるが、渦巻き状部材１５は中間ホイール１３と一体となって回転する。
【００７９】
入力ピニオン１１はムーブメントの筒かなと噛み合うか、又はこれを１時間に１回転させる中間ホイールと噛み合う。１２個の歯を有するピニオン１１は、７２個の歯を有する中間ホイール１２と噛み合う。この中間ホイール１２は、６４個の歯を有する位相用ホイール１２Ａと連結されており、この位相用ホイール１２Ａは６３個の歯を有する中間ホイール１３と噛合する。
【００８０】
渦巻き状部材１５は中間ホイール１３と同軸で軸Ｄ１の周りで回転し、その周縁部１５Ａは図１〜６の第１の変形例と同様に、カム１６を形成する。
【００８１】
中間ホイール１３が１回転する度に、滑動子１８はくちばし部１６Ｂ及びスロープ１６Ａにわたって渦巻き状部材１５の最高点から最低点へと通過して、レバー１９を回動させ、クリック１９Ｃを１日用歯車列２０の鋸歯ホイール２４に対して作用させる。
【００８２】
この第２の変形例は、第１の変形例より構成部材の数が少なく、組付けが簡略化されているため、より経済的に製造できる。しかしながら、歯部の組み合わせにより、月の１か月あたり僅か５７秒の誤差しか発生しない。この誤差は公知の機構より少ない。
【００８３】
本発明は、様々な天体の状態を表示するために適しており、特にこれら天体を組み合わせるのに適している。
【００８４】
ある変形例では、第１の１日用アーバ６は、中心軸Ｄ０の周りに円形又は楕円形の軌跡を描く１日用可動構成部材４１上に設置される。アーバ上の、ばね又は同様の要素で楕円形カムに対して押し戻される摺動アセンブリに可動構成部材４１を配設することにより、楕円形の軌跡を得ることができる。１日用可動構成部材４１はまた、軌道上で円形又は楕円形の内側鋸歯部４４と協働し、この軌跡は、図１０に示すように、１日用可動構成部材４１がこれと連携する外側鋸歯部４３を介して表示するものであり、この外側鋸歯部４３は有利には透明であり、サファイア又は同様の材料で作製されており、この内側鋸歯部４４内を転がる。
【００８５】
上述の変形例を複雑化したものにおいて、１日用可動構成部材４１は少なくとも１つの第２の球体５０を備え、これは第２の天体を模したものであり、その角度位置は手動調整手段４５又はムーブメント１００が備えるＧＭＴタイムゾーン調整歯車列４６によって調整できる。
【００８６】
例えば、図１０は月と地球の相対運動と、軸Ｄ０の周りの簡略化した円において地球の公転軌道とを示す。
【００８７】
特定の変形例では、ここでは地球である第２の天体の第２の球体５０（なお、球体５は月を示す）は、第３の球体５１で囲まれており、その一方の半球は透明で、昼夜駆動可動構成部材４７で駆動し、第２の天体の１日の長さを周期として１回転する。しかしながら、歯車列２で直接的又は間接的に回転させられる１日用可動構成部材４１は、第２の天体の１日の長さの約数若しくは倍数、又は第２の天体の１年の長さを周期として偏心回転する。
【００８８】
好ましくは、本発明による機構１は、月である第１の天体の１日及び位相を表示する。
【００８９】
ある変形例では、第２の天体は地球であり、機構１は、地球のある経度の地点の昼夜遷移、及びその経度の地点の局所的時刻又は太陽の周りの軌道上における地球の年間位置を表示する。
【００９０】
本発明の特定の変形例では、第１の天体を表す天体５は球体ドーム５１に取り囲まれ、この球体ドーム５１は一方の半球が透明であり他方の半球が暗色であり、これによって、昼部分と夜部分を有する中空球体を形成する。この中空球体は回転駆動する。この中空球体内での天体の位置は、図１３に示すようなＧＭＴ機構によって、又は中間ＧＭＴ駆動ホイールが摩擦係合された制御ステム４５を手動操作することによって、調整することができる。図１１〜１３は有利なタイプのアセンブリを示し、天体を表す可動構成部材５又は５０が、軸Ａを有する円筒形スリーブ７０に回転可能に設置され、このスリーブ７０はこの軸Ａの周りで回転駆動することができる。組立てを容易にするため、スリーブ７０を２つの部分から形成することができる。同様に、天体を表す球体部分５又は５０は、２つの部分からなる中空球体に取り囲まれた状態で示され、ここで２つの半球は、軸Ａに平行又は垂直な平面で昼／夜に区別することができる。
【００９１】
本発明は同様に、地球、月、又はいずれの天体を周期軌道と共に表すのに適している。
【００９２】
地球を表す特定の変形例では、世界中のいずれのエリアからのユーザに対しても、そのユーザの国が視認できるように地球を表示するために、機構１は、ステム４５又は（時計がこれを備えている場合は）ＧＭＴ機構４６を介して地球を表す球体５０を調整する手段を含み、これは、メインディスプレイを変化させないまま維持しながら、ユーザの関心の対象であるＧＭＴタイムゾーンにおける昼夜の遷移を表示できるという利点を有する。
【００９３】
本発明を用いて、宇宙地理学的表示付き又は天文表示付き又は地球−月表示付き腕時計を製造することができる。
【００９４】
例えば、図１０の例ではボリビアを中心とする第２のＧＭＴタイムゾーンにおいて、移動式の地球−月ユニットは１２又は２４時間で大きな円を１周し、その角度位置によって局所的時刻を提供する。ここではボリビアが午前２時であり、この時点ではまだ、夜を表す最も暗いセクタ内にある。
【００９５】
上述のように、移動式の地球−月ユニット内では、月は地球の周りを月の１か月で１周し、その位相を表示する。
【００９６】
特定の変形例では、地球の自転軸は、１２時−６時を結ぶ軸に平行であり、月の自転軸も同様である。
【００９７】
複雑化した変形例では、地球の軌道を表す円を楕円形の軌跡に置き換える。両方の場合において、この表示は有利には、様々な変形例において、春分秋分及び夏至冬至、並びに／又は星座、並びに／又はこれに関連するアジア諸国における幸運のシンボルに関連する表示信号を組み込むことができる。
【００９８】
更に別の変形例は、ＧＭＴタイムゾーンに応じた潮汐率の表示を備える。
【００９９】
本発明はまた、少なくとも１つのこのような表示機構１を駆動するための駆動手段を含むムーブメント１００にも関する。有利には、このムーブメント１００は、天体を表す少なくとも１つの可動構成部材５０及び／又はこのタイプの可動構成部材５、５０を覆う半分が透明な中空球体５１を駆動するための昼夜駆動機構４７及び／又はＧＭＴ機構４６等の、表示機構の特定の機能を駆動する。
【０１００】
本発明はまた、少なくとも１つのムーブメント１００及び／又は少なくとも１つのこのタイプの機構１を含む天文時計、特に天文腕時計にも関する。
【図１】
2014092549.tif 000003
【図２】
2014092549.tif 000004
【図３】
2014092549.tif 000005
【図４】
2014092549.tif 000006
【図５】
2014092549.tif 000007
【図６】
2014092549.tif 000008
【図７】
2014092549.tif 000009
【図８】
2014092549.tif 000010
【図９】
2014092549.tif 000011
【図１０】
2014092549.tif 000012
【図１１】
2014092549.tif 000013
【図１２】
2014092549.tif 000014
【図１３】
2014092549.tif 000015